(57)【要約】  本発明は、螺旋トラック構造をもつ光学記憶媒体上への光学記録のための書込パワー較正を実施する方法に関する。当該方法は、第1のトラック12と、隣接する第2のトラック14とを持っているトラック構造上に第１の分割部10を選択するステップであって、当該第１の分割部10のこれらトラックの一部分16、18には書き込まれた情報を含まず、第2のトラック14が、書き込まれた情報をもってもよいトラックの一部分22を第１の分割部10に有する第3のトラック20に隣接するよう、第1の分割部を選択するステップと、レーザ・ビームの予め定められた書込パワー・プロフィールを使用して、第１の分割部10の中の第１のトラック12の一部分16に書き込むステップと、第1の分割部10の中の第１のトラック12に書き込まれた情報を読み取るステップと、書込パワー・プロフィールと、第１のトラック12から読み取られた情報とに基づいて、非対称性値とレーザ・パワーとの間の関係を決定するステップとを、有する。本発明は、更に、書込パワー較正を実施する装置に関する。
2010503137.tif 000002
【特許請求の範囲】
【請求項１】
第１のトラックと、隣接する第2のトラックとをもつトラック構造上に第１の分割部を選択するステップであって、当該第1の分割部の、これらトラックの一部分には書き込まれた情報を含まず、前記第2のトラックが、書き込まれた情報を含んでいるトラックの一部分をもってもよい第3のトラックに隣接するよう、第1の分割部を選択するステップと、
レーザ・ビームの予め定められた書込パワー・プロフィールを用いて、前記第１の分割部の前記第１のトラックの一部分に書き込むステップと、
前記第１の分割部の前記第１のトラックに書き込まれた情報を読み取るステップと、
前記書込パワー・プロフィール及び前記第１のトラックから読み取った情報に基づいて、非対称性値とレーザ・パワーとの間の関係を決定するステップとを有する、螺旋トラック構造を有する光学記憶媒体上への光学記録のための、書込パワー較正を実施する方法。
【請求項２】
読み取りステップの後、情報が、別の予め定められた書込パワー・プロフィールを用いて、少なくとも第2の分割部の第2のトラックの一部分と、第2のトラック上の第3の分割部の第2のトラックの一部分とに書き込まれ、ジッタとレーザ・パワーとの間の関係が、書込パワー・プロフィールと、第１の分割部の第1のトラックの一部分と、第2の分割部の第2のトラックの一部分と、第3の分割部の第2のトラックの一部分とから読み取った情報に基づいて決定される、請求項１に記載の方法。
【請求項３】
第1の分割部のサイズは基本的に第2の分割部の2倍のサイズであり、基本的に第3の分割部の2倍のサイズである、請求項２に記載の方法。
【請求項４】
第1の分割部が基本的に360度に亘って延在し、第2の分割部及び第3の分割部が各々基本的に180度に亘って延在する、請求項２に記載の方法。
【請求項５】
第1のトラック及び第2のトラックの隣り合った位置での書込パワー・プロフィールのパワー値が異なる、請求項２に記載の方法。
【請求項６】
非対称性値βとレーザ・パワーαとの間の関係が、式
β=aα2＋bα+c
により近似される、請求項１に記載の方法。
【請求項７】
【数３】
2010503137.tif 000005
ここで
【数４】
2010503137.tif 000006
の関係を用い、測定された非対称性値と目標非対称性値との間の差Δβに基づいて、逐次最適パワー制御が、レーザ・パワーαをΔαだけ増減することにより実行される、請求項６に記載の方法。
【請求項８】
前記光学記憶媒体が、ブルーレイ・ディスク（BD）である、請求項１に記載の方法。
【請求項９】
第1のトラックと、隣接する第2のトラックとをもつトラック構造上に第１の分割部を選択する手段であって、前記第1の分割部の、これらトラックの一部分には書き込まれた情報を含まず、前記第2のトラックが、書き込まれた情報をもってもよいトラックの一部分をもつ第3のトラックに隣接するよう、第1の分割部を選択する手段と、
レーザ・ビームの予め定められた書込パワー・プロフィールを用いて、前記第１の分割部の前記第１のトラックの一部分に書き込む手段と、
前記第１の分割部の中の前記第１のトラックに書き込まれた情報を読み取るための手段と、
前記書込パワー・プロフィール及び前記第１のトラックから読み取った情報に基づいて、非対称性値とレーザ・パワーとの間の関係を決定する手段とを有する、螺旋トラック構造を有する光学記憶媒体上への光学記録のための書込パワー較正を実施する装置。
【発明の詳細な説明】
【技術分野】
【０００１】
本発明は、光記憶媒体上への光学記録のために書込パワー較正を実施する方法に関し、
そして、斯様な方法が実行されることができる装置に関する。特に、本発明は、光記憶媒体上のドライブ較正ゾーンへの／から情報の書き込み及び読み取りに基づいた、書込パワー較正方法に関する。
【発明の概要】
【発明が解決しようとする課題】
【０００２】
光学レコーダでは、一旦、新しい光記憶媒体、即ち光ディスクが挿入されると、レーザ・ビームの書込パワーが、最適な態様で決定されねばならない。斯様な最適パワーの決定は、最適パワー制御（OPC）により実施される。レーザ・ビームの最適パワー制御は、非対称性の測定（β測定とも呼ばれる）、及びジッタ測定に基づく。最小ジッタに対する書込パワーを設定することによって、ジッタ較正が最適パワーを見つけるために用いられ、一方、β測定は、実行されている書込プロセスの間に、書込パワーを修正するために用いられる。後者は、目標の非対称性（β値）での、レーザ・パワーと非対称性値とに関する曲線の傾きを決定することにより行われる。記録の間にβ値のぶれが気づかれる場合、β値の変動を修正するようにレーザ・パワーが変えられる。β測定は、レーザ・パワー掃引、即ち予め定められたレーザ・パワー・プロフィールにて書き込み、そしてその後、レーザ・パワーに応じた非対称性を決定するために、書き込まれたデータの読み取りを実施することによって、行われる。例えば4％の目標β値が所望される場合、対応する最適レーザ・パワーαoptが導き出されることができる。
【０００３】
このように、完全な逐次最適パワー制御（WOPC）は、レコーダとディスクとの組合せ毎に初期に決定されるβの傾きに依存しており、これ故、βの傾きの決定品質が、記録結果に対して重要になる。このように、非対称性測定のためにパワー掃引されるトラックが、例えば、高パワー及び／又はパワー掃引の不連続性に起因して、隣接したトラックによって影響を受けるとき、βの測定結果、したがってWOPCが、非常に劣化されることがある。
【０００４】
それ故、本発明の目的は、非対称性の測定の間、当該測定を劣化させる影響を特に回避するための、改善された最適パワー制御のための方法及び装置を供することである。
【課題を解決するための手段】
【０００５】
この目的は、請求項１による方法、及び請求項９による装置によって、達成される。更に好都合な実施例が、従属請求項で概説されている。
【０００６】
本発明に従って、螺旋トラック構造をもつ光学記憶媒体上への光学記録のための書込パワー較正を実施する方法が供され、当該方法は、
-  第1のトラックと、隣接する第2のトラックとをもつトラック構造上に第1の分割部を選択するステップであって、当該第1の分割部の、これらトラックの一部分には書き込まれた情報を含まず、第2のトラックが、書き込まれた情報を含んでいるトラックの一部分をもってもよい第3のトラックに隣接するよう、第1の分割部を選択するステップと、
-  レーザ・ビームの予め定められた書込パワー・プロフィールを用いて、第１の分割部内の第１のトラックの一部分に書き込むステップと、
-  前記第１の分割部内の第１のトラックに書き込まれた情報を読み取るステップと、
-  書込パワー・プロフィール及び第１のトラックから読み取られた情報に基づいて、非対称性値とレーザ・パワーとの関係を決定するステップとを有する。
【０００７】
このように、非対称性又はβ測定のためのパワー掃引及びパワーの読み取りは、通常、2本の未記録（空）のトラックが隣接するトラック上で実施される。例えば、較正ゾーンがディスクの内周側半径に位置し、較正のためのトラックの使用がアドレス（ADIPアドレス）を減少させる順に、即ち通常の記録方向に対して逆に実行される場合、ディスクの内周側のトラックは空である。本発明によれば、従前に記録されたトラックに隣接する、より高いアドレスをもつ空のトラックが、書き込まれるべき第１のトラックとして選ばれるのではなく、より小半径に有る次のトラック、又は当該次のトラックより更に小半径に有りさえする次のトラックが選ばれる。従って、隣接している空のトラックは、較正結果に何ら否定的な影響を持たない。
【０００８】
好ましくは、読み取りステップの後、別の予め定められた書込パワー・プロフィールを使用して、情報が、第2の分割部の第2のトラックの少なくとも一部分、及び第3の分割部の第2のトラックの一部分に書き込まれ、ジッタとレーザ・パワーとの間の関係が、書込パワー・プロフィール及び第１の分割部の第１のトラックの一部分と、第2の分割部の第2のトラックの一部分と、第3の分割部の第2のトラックの一部分とから読み取られた情報に基づいて決定される。非対称性の較正の際にトラックが空のまま残されることによる本発明の概念は、ディスクスペースの浪費を回避するためにトラックがディスク較正ゾーンにおいて、空のままにされない従来の方式とは対照的である。しかし、ここで説明される本発明の好ましい実施例によれば、ディスクスペースの浪費も回避されることができる。何故ならば、β測定の後に、空トラックがジッタ測定に関連して使われるからである。特に両トラック、即ち、非対称性の測定が実施される第1のトラックと、所謂再-シャッフルされた（下記参照）パワー掃引を含む第2のトラックとが、ジッタの決定及び最小ジッタに対するレーザ・パワーの決定のために用いられる。
【０００９】
好ましくは、第１の分割部のサイズは、基本的に第2の分割部のサイズの2倍であり、基本的に第3の分割部のサイズの2倍である。これに基づいて、再-シャッフルされたパワー掃引が実現されることができる。第１の分割部において、最小値から最大値までのパワー掃引が実施される場合、隣接したトラックにおいて、即ち、第2の分割部及び第3の分割部においては、2回のパワー掃引を行うことが可能であり、当該2回のパワー掃引は特定の角度位置では基本的に同じ傾きであるが、しかし異なるパワー・レベルをもつ。例えば、第1のトラック上の第1の分割部でパワー掃引が最小のパワー値から始まる角度位置において、隣接する第2のトラックの再-シャッフルされたパワー掃引は、最大パワー値の半分から始まる。第2のトラックのもう一方に隣接する分割部では、パワー掃引は最小パワーで始まり、最大パワーの半分まで延在する。このとき、隣接する第１のトラックの領域では、パワーは最大パワーの半分から最大パワーまで上がる。
【００１０】
これは、第１の分割部が基本的に360度に亘って延在し、第2の分割部及び第3の分割部が各々基本的に180度に亘って延在するとの概念により実現されることができる。
【００１１】
第1のトラック及び第2のトラックの隣り合う位置で、書込パワー・プロフィールのパワー値が異なることが、ジッタ測定にとって重要である。このことにより、ディスクの異質性が平均化される。
【００１２】
良く機能している逐次最適パワー制御（WOPC）では、非対称性値βとレーザ・パワーαの関係は、次の式で近似される。
β=aα2＋bα+c
【００１３】
これに基づき、逐次最適パワー制御が、以下の式を使用し、測定された非対称性値と目標とする非対称性値との間の違いΔβに基づいて、Δαだけレーザ・パワーαを増減することにより実施される。
【数１】
2010503137.tif 000003
ここで、
【数２】
2010503137.tif 000004
【００１４】
このように、非対称性値βとレーザ・パワーαとの間の関係は、2次曲線によって、最初にカーブフィットされる。それから、最適レーザ・パワーαoptでの当該曲線の傾きが決定される。目標の非対称性値と測定された非対称性値との間の差Δβwopcが、記録の際に、言い換えれば直近で記録されたデータの読み取りによって認識された場合、レーザ・パワーは、上記の式に従ってΔαだけシフトされることができる。
【００１５】
光学記憶媒体がブルーレイ・ディスク（BD）である場合には、本発明による方法は特に役に立つ。本発明はBDに限定されることはなく、記録に適している如何なるメディア、例えば、CD、DVD、HD-DVDの単層及び複層のディスクにも関連して用いられることができる。しかしながら、ドライブ較正ゾーンに関するBDの仕様は、本発明を容易に実行することを可能にしている。ドライブ較正ゾーンがディスクの内周側にある場合、較正方法が実施されることができる、未記録のトラックが存在する。
【００１６】
本発明は更に、螺旋トラック構造をもつ光学記憶媒体上への光学記録のための書込パワー較正を実施する装置に関し、当該装置は、
-  第１のトラックと、隣接する第２のトラックとを有するトラック構造上に第１の分割部を選択するための手段であって、当該第1の分割部の、これらトラックの一部分は書き込まれた情報を含んでおらず、第2のトラックが、書き込まれた情報を含んだトラックの一部分をもってもよい第3のトラックに隣接するよう、第1の分割部を選択するための手段と、
-  レーザ・ビームの予め定められた書込パワー・プロフィールを使用して、第１の分割部の第１のトラックの一部分に書き込む手段と、
-  前記第１の分割部の中の第１のトラックに書き込まれた情報を読み取る手段と、
-  書込パワー・プロフィール及び第１のトラックから読み取られた情報に基づいて、非対称性値とレーザ・パワーとの間の関係を決定する手段とを有する。
【００１７】
本発明のこれらの態様及び他の態様は、これ以降説明されている実施例から明らかで、当該実施例を参照して解明されよう。
【図面の簡単な説明】
【００１８】
【図１】本発明による方法が実施されるディスクのトラック構造を例示する。
【図２】非対称性値を決定するために使用される書込パワー・プロフィールを例示する。
【図３】ジッタを決定するために使用される書込パワー・プロフィールを例示する。
【図４】本発明による書込パワー較正方法を例示しているフロー図を示す。
【図５】2次多項式のカーブフィット及び最適レーザ・パワーでのβの傾きの決定を例示している機能線図を示す。
【図６】本発明に関連して使用される逐次最適パワー制御方法を例示しているフロー図を示す。
【発明を実施するための形態】
【００１９】
図１は、本発明による方法が実施されるディスクのトラック構造を例示している。光ディスクのドライブ較正ゾーンが、例示されている。当該ディスクは、螺旋トラック構造を持つ。2本の完全なトラック、即ち第1のトラック12と第2のトラック14とが示されている。更に、第3のトラック20の始まりが例示されている。ドライブ較正ゾーンは、ディスクの如何なる半径にも大抵位置できるが、好ましくは内周側のOPC領域に位置する。トラック構造は、両方向に、言い換えれば第3のトラック20の延長方向に、及び、図示された第１のトラック12から、より内周側半径方向に連続できる。トラック12、14、20を区別するために、トラック構造は、隙間（ギャップ）をもって示されている。実際には、螺旋は連続している。分割部10、26、30が、矢印により示されている。当該分割部は、ディスクの角度区分に対応する。第1の分割部10は略360度に亘って延在し、一方、第2の分割部26及び第3の分割部30は各々180度に亘って延在している。
【００２０】
非対称性値（β値）とレーザ・パワーとの間の関係を決定するために、情報が、第１の分割部の中の第１のトラック12の一部分16に書き込まれる。第1の分割部10が360度に亘って延在する本実施例では、情報が書き込まれるトラックの一部分16は、実際には第１のトラック12全体である。第1のトラック12に書き込む前及び書き込んだ直後は、第１の分割部10の第2のトラック14、と言うよりむしろ第2のトラック14の一部分18は、書き込まれた情報を担持しない。第3のトラック20及び後続のトラックのみが、第１の分割部10のトラックの一部分22に書き込まれた情報を含むことができる。また、第1の分割部10は360度に亘って延在するので、第2のトラック14の一部分18、及び第3のトラック22の一部分20は、それぞれ実際にはトラック14、22の全てである。情報が第１のトラック12に書き込まれた後、当該情報は読み出され、
第2のトラック14は情報を含まないので、読み取りプロセスが、書き込まれた情報を含む隣接トラックにより劣化されることはない。使用されたレーザ・パワー及び第１のトラックから読み取られた情報に基づいて、β値が、レーザ・パワーに応じて決定されることができる。
【００２１】
非対称性値と書込パワーとの間の関係の決定の後、第2のトラック14が、更なる較正目的のために使われることができる。即ち、第2の分割部26の第2のトラック14の一部分24に、書込パワー掃引が実施される。同様に、書込パワー掃引が、第3の分割部30の第2のトラック14の一部分28に実施される。三つの分割部10、26、30でのパワー掃引に基づいて実施されたジッタ測定に起因するディスクの異質性を平均化するために、これらのパワー掃引は、第1のトラック12に従前に書き込むために用いられたパワー掃引に対して再-シャッフルされる。このことは、図2及び図3に関して、更に説明されよう。
【００２２】
図2は、非対称性値を決定するために使用された書込パワー・プロフィールを例示している。図3は、ジッタを決定するために使用された書込パワー・プロフィールを例示している。螺旋のトラック構造が、直線状の表現で示されている。第1のトラック12に実施されたパワー掃引32が、レーザ・パワーαの変化として示されている。減少してゆくパワーをもつ複数の離散値的なレーザ書込みパルスから成るこのパワー掃引32の後、非対称性値とレーザ・パワーとの間の関係が決定される。このことは、図5に関して更に説明されよう。第1のトラック12から情報を読み取った後、別のパワー掃引34、36がトラック14、即ち、第2の分割部26及び第3の分割部30に実施される。第2の分割部では、レーザ・パワーは、第１のトラック12上の分割部10に書き込んだときに使用された最大のレーザ・パワーの半分の値から始まり、最小値まで減少する。第2のトラック14の第3の分割部30に書き込むとき、レーザ・パワーは最大のレーザ・パワーで始まり、最大のレーザ・パワーの半分まで減少する。このことにより、隣接トラックの隣り合った部分が同じレーザ・パワーにより記録されなかったことが実現される。従って、全3回のパワー掃引に基づくジッタ較正を実施するとき、ディスクの異質性が平均化される。ジッタ較正は、その開示が本開示に全て組み込まれている国際出願PCT/IB2004/050592で説明されているように、実行される。
【００２３】
図4は、本発明による書込パワー較正方法を例示しているフロー図を示す。第1のステップS01において、データは、空の第2のトラックが隣接している第１のトラックに書き込まれる。予め定められたレーザ・パワー・プロフィールが、書込に際して使われる。空の第2のトラックは、通常、ディスク較正ゾーンの最初の空トラックである。このように、第2のトラックは、第１のトラックより高い（大きな）ADIPアドレスを持つ。この第2のトラックを使用しないことにより、較正目的のために使われた第１のトラックの影響が回避される。
【００２４】
書込の後、データはステップS02で読み取られる。現在の情報、即ち、レーザ・パワー・プロフィール及び読み取られたデータから、β値とレーザ・パワーとの間の関係が、ステップS03において、決定されることができる。
【００２５】
その後、データが、第2のトラック、即ち、これまで空のままにされていたトラックに書き込まれることができる。また、第2のトラックへの書込みが、前述したように、予め定められたパワー・プロフィールで、再-シャッフルされた態様にて、実施される（ステップS04）。ステップS05において、ジッタとレーザ・パワーとの間の関係が決定される。最小のジッタ値を有するレーザ・パワーを選択することによって、最適書込が実施されることができる。β値とレーザ・パワーとの間の関係に関する情報が、これ以降、実行される記録プロセスの際に使われることができる。
【００２６】
図5は、2次多項式のカーブフィット、及び最適レーザ・パワーにおけるβの傾きの決定を例示している機能線図を示す。第１のトラックへの書込みとデータの読み取りとから、種々異なる非対称性値が正確に、即ち隣接したトラックからの歪無しで決定されることができる。これらのβ値が、×印として示されている。これらの値は、2次多項式フィットによって、カーブフィットされることができる。このカーブフィットから、目標非対称性値βtargetでのβ-αの傾きの関係が決定されることができ、これゆえ、最適レーザ・パワーαoptが決定されることができる。この傾きが、その後、実行される記録プロセスの際に、レーザ・パワー修正のために、すなわち、測定されたβ値と目標β値との間の観察された差に当該傾きを乗算することによって、使用されよう。
【００２７】
図6は、本発明に関連して使われる逐次最適パワー制御方法を例示しているフロー図を示している。実行される記録プロセスの際に、これまでに書き込まれたデータが読み取られることができる（ステップS01）。これに基づいて、目標β値と測定されたβ値との間のβ値の差Δβwopcが決定されることができる（ステップS02）。ディスクの現在書き込んでいる領域に適した新しいレーザ・パワーが、β-α間の傾きを従前決定されたβ値の差Δβwopcに乗算することによって、この後、算出されることができる。
【図１】
2010503137.tif 000007
【図２】
2010503137.tif 000008
【図３】
2010503137.tif 000009
【図４】
2010503137.tif 000010
【図５】
2010503137.tif 000011
【図６】
2010503137.tif 000012
【国際調査報告】
2010503137.tif 000013
2010503137.tif 000014